(57)【特許請求の範囲】
【請求項１】
被検体内に挿入される挿入部と、
少なくとも前記挿入部に設けられるとともに、前記被検体内に充満する固体粒子成分を含む流体を吸引口から吸引する吸引管路と、
前記吸引管路の少なくとも一部に設けられるとともに、気体を通過させるとともに液体及び固体の通過を遮断するフィルタと、
を具備することを特徴とする内視鏡。
【請求項２】
前記吸引管路は、前記被検体内の他の流体を吸引する他の吸引管路とは別途に設けられているとともに、前記他の吸引管路の径以下となるように形成されていることを特徴とする請求項１に記載の内視鏡。
【請求項３】
前記挿入部の長手方向の先端に取り付けられるとともに、前記吸引管路が設けられた先端アタッチメントをさらに具備し、
前記先端アタッチメントの前記吸引管路は、前記先端アタッチメントが前記挿入部の前記先端に位置決めされて取り付けられた際、前記挿入部に設けられた前記吸引管路に連通し、
前記フィルタは、前記先端アタッチメントの前記吸引管路に設けられていることを特徴とする請求項１に記載の内視鏡。
【請求項４】
前記吸引管路は、前記挿入部の長手方向の先端面において、前記挿入部の中心と前記他の吸引管路の中心とを結ぶ直線に対し、９０度以上２７０度以下の範囲に前記吸引口が位置していることを特徴とする請求項２に記載の内視鏡。
【請求項５】
一部が前記挿入部の前記先端面に露出されるとともに前記被検体内を撮像する被写体像取得部をさらに具備し、
前記吸引口は、前記先端面において、前記被写体像取得部によって撮像された被写体像の正立方向と重力方向とが一致した際、前記他の吸引管路の吸引口よりも前記正立方向の上側に位置していることを特徴とする請求項４に記載の内視鏡。
【請求項６】
前記挿入部は、該挿入部の長手方向の先端側に湾曲部をさらに具備し、
前記吸引口は、前記挿入部の外周側面において、前記湾曲部よりも前記長手方向の基端側に位置していることを特徴とする請求項１に記載の内視鏡。
【請求項７】
前記フィルタは、前記吸引管路において、該吸引管路の長手方向の先端側に設けられることを特徴とする請求項１に記載の内視鏡。
【請求項８】
前記被検体は、生体内の体腔であり、
前記被検体内に充満する固体粒子成分を含む流体は、前記他の吸引管路を介して前記体腔内に突出された焼灼装置により前記体腔内の生体組織にエネルギを与えることによって焼灼される前記生体組織に由来する成分を含む気体であり、
前記フィルタは、前記体腔内の前記液体及び前記固体の通過を遮断するとともに、前記生体組織に由来する成分を含む気体の内、前記生体組織に由来する成分を遮断することを特徴とする請求項２に記載の内視鏡。
【発明の詳細な説明】
【技術分野】
【０００１】
本発明は、被検体内に充満する固体粒子成分を含む流体を吸引口から吸引する吸引管路を具備する内視鏡に関する。
【背景技術】
【０００２】
近年、被検体内に挿入される内視鏡は、医療分野、工業用分野において広く利用されている。
【０００３】
医療分野において用いられる内視鏡は、細長い挿入部を被検体となる体腔内に挿入することによって、挿入部が具備する被写体像取得部の光学系により体腔内の生体組織を観察したり、必要に応じて内視鏡が具備する処置具のチャンネル内に挿通した処置具を用いて各種処置をしたりすることができる。
【０００４】
また、工業用分野において用いられる内視鏡は、内視鏡の細長い挿入部をジェットエンジン内や、工場の配管等の被検体内に挿入することによって、挿入部が具備する被写体像取得部の光学系により被検体内の被検部位の傷及び腐蝕等の観察や検査を行うことができる。
【０００５】
ここで、医療分野において用いられる内視鏡において、挿入部を体腔内に挿入し、光学系によって体腔内の生体組織を観察する際、光学系の良好な観察視野を確保するため、内視鏡内に設けられた吸引管路を用いて、体腔内の流体、例えば体腔内の粘液及び光学系の洗浄に用いた洗浄水等の液体や、体腔内の残渣及び処置具を用いて切除した処置対象組織等の固体を除去する手法が周知である。
【０００６】
特許文献１には、内視鏡の挿入部における長手方向の先端（以下、単に先端と称す）の先端面に、吸引管路の吸引口が開口され、吸引管路の一部が分岐して内視鏡の操作部に処置具挿通口として開口され、さらに内視鏡の外部装置への接続コネクタ（以下、単にコネクタと称す）において吸引管路の長手方向の基端（以下、単に基端と称す）の開口が連通する口金に吸引装置が接続され、吸引装置の駆動後、吸引管路を介して、吸引口から体腔内の流体を吸引する構成が開示されている。
【先行技術文献】
【特許文献】
【０００７】
【特許文献１】特開２００７−１０５３９５号公報
【発明の概要】
【発明が解決しようとする課題】
【０００８】
ところで、医療分野において用いられる内視鏡において、挿入部を体腔内に挿入し、光学系によって体腔内の生体組織における処置対象組織を観察した状態において、内視鏡の操作部に設けられた処置具挿通口を介して吸引管路内に挿通した処置具を挿入部の先端に設けられた吸引口から長手方向の前方（以下、単に前方と称す）に突出させ、該突出させた処置具から処置対象組織にエネルギを与えることにより、生体組織から処置対象組織を剥離、切除する手技が周知である。
【０００９】
一例を挙げると、挿入部を体腔内に挿入し、光学系によって体腔内の癌組織を観察した状態において、処置具挿通口を介して吸引管路内に挿通した焼灼装置である高周波ナイフを挿入部の先端面の吸引口から前方に突出させ、その後、挿入部を長手方向の前後（以下、単に前後と称す）に移動させることにより、事前に専用の液体の注入によって浮かされた癌組織を、高周波ナイフを用いて焼灼して切開し除去する既知の内視鏡的粘膜下層剥離術（以下、ＥＳＤ(Endoscopic Sub mucosal Dissection)と称す）が周知である。
【００１０】
ここで、ＥＳＤ手技のような生体組織を切開するとともに出血を凝固させる手技の場合、高周波ナイフを用いた切開温度が通常の高周波ナイフを用いた切開手技に比べ低い。このことから、切開、凝固に伴い体腔内の粘液や脂肪が蒸発しやすく、粘膜や脂肪は、固体粒子成分を含む流体、具体的には、生体組織に由来する成分を含む気体としてミスト状になってしまう。その結果、特にＥＳＤ手技のような長時間に亘る手技においては、狭い体腔内にミスト状の生体組織に由来する成分を含む気体が充満しやすく、該充満した気体や、該気体が光学系に付着する等により光学系の観察視野が悪くなってしまう。
【００１１】
よって、ＥＳＤ手技中においては、定期的に内視鏡の挿入部を体腔内から抜去し、光学系を洗浄する必要が有り、洗浄の都度、挿入部を体腔内から抜去するため洗浄作業が煩雑であった。
【００１２】
このような事情に鑑み、ＥＳＤ手技中における観察視野を確保するため、ＥＳＤ手技中に、特許文献１に開示された吸引管路を用いて吸引口から生体組織に由来する成分を含む気体を吸引する手法が考えられる。ところが、特許文献１の吸引管路を用いた吸引だけでは体腔内に充満した生体組織に由来する成分を含む気体を十分吸引出来ず、良好な光学系の観察視野を十分確保することができないといった問題があった。
【００１３】
さらに、挿入部の小径化を図るため、生体組織に由来する成分を含む気体を吸引する吸引管路の小径化を図ると、吸引管路内に汚れが付着した場合、吸引管路の径が小さくなる程、吸引管路内に洗浄ブラシが挿通し難くなるため、吸引管路が洗浄し難いといった問題もあった。
【００１４】
本発明は、上記問題点に鑑みてなされたものであり、被検体内に充満する固体粒子成分を含む流体を円滑に除去でき、固体粒子成分を含む流体を吸引する吸引管路の洗浄処理が簡単な内視鏡を提供することを目的とする。
【課題を解決するための手段】
【００１５】
上記目的を達成するため本発明の一態様における内視鏡は、被検体内に挿入される挿入部と、少なくとも前記挿入部に設けられるとともに、前記被検体内に充満する固体粒子成分を含む流体を吸引口から吸引する吸引管路と、前記吸引管路の少なくとも一部に設けられるとともに、気体を通過させるとともに液体及び固体の通過を遮断するフィルタと、を具備する。
【発明の効果】
【００１６】
本発明によれば、被検体内に充満する固体粒子成分を含む流体を円滑に除去でき、固体粒子成分を含む流体を吸引する吸引管路の洗浄処理が簡単な内視鏡を提供することができる。
【図面の簡単な説明】
【００１７】
【図１】第１実施の形態の内視鏡を具備する内視鏡システムを概略的に示す図
【図２】図１の内視鏡の挿入部の先端側を、吸引管路、他の吸引管路、被写体像取得部に着目して概略的に示す部分断面図
【図３】図２の挿入部の先端側が体腔内に挿入された状態を概略的に示す部分断面図
【図４】体腔内に図１の内視鏡の挿入部を挿入するとともに、内視鏡の他の吸引管路から突出させた切開具、高周波ナイフを用いたＥＳＤ手技における病変粘膜部位の切開動作の一例を概略的に説明する斜視図
【図５】図１の内視鏡の他の吸引管路から突出させた剥離具を用いたＥＳＤ手技における病変粘膜部位の剥離動作を概略的に説明する斜視図
【図６】第２実施の形態の内視鏡の挿入部の先端面を概略的に示す平面図
【図７】図６中のVII-VII線に沿う挿入部の先端側の部分断面図
【図８】第３実施の形態の内視鏡の挿入部の先端面におけるミスト状の生体組織に由来する成分を含む気体を吸引する吸引管路の吸引口の配置領域を概略的に示す平面図
【図９】第４実施の形態の内視鏡の挿入部の先端側を概略的に示す図
【発明を実施するための形態】
【００１８】
以下、図面を参照して本発明の実施の形態を説明する。  
（第１実施の形態）
図１は、本実施の形態の内視鏡を具備する内視鏡システムを概略的に示す図、図２は、図１の内視鏡の挿入部の先端側を、吸引管路、他の吸引管路、被写体像取得部に着目して概略的に示す部分断面図、図３は、図２の挿入部の先端側が体腔内に挿入された状態を概略的に示す部分断面図である。
【００１９】
図１に示すように、内視鏡システム１は、内視鏡２と周辺装置１００とにより構成されている。
【００２０】
周辺装置１００は、架台３０に載置された、キーボード３１と、光源装置３３と、ビデオプロセッサ３４と、モニタ３６と、吸引装置４０、４２とを具備している。
【００２１】
内視鏡２は、被検体内、例えば体腔Ｂ（図３参照）に挿入される挿入部４と、該挿入部４の基端に連設された操作部３と、該操作部３から延出されたユニバーサルコード５と、該ユニバーサルコード５の延出端に設けられるとともに光源装置３３に対して着脱自在なコネクタ３２とを具備して主要部が構成されている。尚、コネクタ３２とビデオプロセッサ３４とは、接続ケーブル３５によって電気的に接続される。
【００２２】
挿入部４は、該挿入部４の長手方向Ｎの先端側（以下、単に先端側と称す）に位置する先端部６と、該先端部６の基端に連設されるとともに操作部３に設けられた湾曲操作ノブ９により、例えば上下左右の４方向に湾曲操作される湾曲部７と、該湾曲部７の基端に連設された可撓管部８とにより構成されている。
【００２３】
先端部６の先端面６ｓに、他の吸引管路（以下、単に吸引管路と称す）１０（図２参照）の吸引口１０ａと、吸引管路１１（図２参照）の吸引口１１ａと、被写体像取得部２０（図２参照）を構成する光学系である対物レンズ２１と、送気送水ノズル２３と、照明窓２５等が設けられている。
【００２４】
被写体像取得部２０は、被写体内を撮像するものであり、先端面６ｓに露出される対物レンズ２１または該対物レンズ２１を含む複数のレンズから構成された図示しない光学系と、該光学系によって集光された被写体が結像される図示しない撮像素子とから主要部が構成されている。
【００２５】
送気送水ノズル２３は、対物レンズ２１に向けて流体を供給することにより、対物レンズ２１に付着した汚れを除去したり、被検体内に流体を供給したりするものである。
【００２６】
照明窓２５は、被検体内に照明光を供給するものである。尚、照明窓２５の代わりに、先端面６ｓにＬＥＤ等の発光素子が設けられていても構わない。
【００２７】
吸引口１０ａは、挿入部４、操作部３、ユニバーサルコード５、コネクタ３２内に設けられた吸引管路１０の先端の開口を構成している。吸引管路１０は、操作部３において分岐しており、一部が操作部３において処置具挿通口３ｓとして開口されている。
【００２８】
また、吸引管路１０のコネクタ３２の基端の開口には、図示しない吸引口金が設けられており、該吸引口金には、吸引装置４０から延出された吸引用チューブ４１が接続されている。
【００２９】
吸引管路１０は、操作部３に設けられた吸引釦３ａが押下操作されると、吸引装置４０の駆動により、体腔Ｂ内の他の流体、例えば体腔Ｂ内の粘液及び対物レンズ２１の洗浄に用いた洗浄水等の液体や、体腔Ｂ内の残渣及び高周波ナイフ１１３（図３参照）等の各種処置具を用いて切除した処置対象組織等の固体を、吸引口１０ａを介して連通する吸引用チューブ４１とともに吸引する他、処置具挿通口３ｓを介して各種処置具が導入され、該導入された各種処置具を体腔Ｂ内に吸引口１０ａを介して突出させるものである。即ち、吸引管路１０は、処置具挿通用管路を兼ねている。
【００３０】
尚、図２に示すように、吸引管路１０の径Ｒ１は、吸引管路１１の径Ｒ２以上の径になるように形成されている（Ｒ１≧Ｒ２）。これは、吸引管路１０には、上述したように各種処置具が導入される他、吸引管路１０は、体腔Ｂ内のある程度の大きさを有する固体を吸引する際に使用されるためである。
【００３１】
吸引口１１ａは、挿入部４、操作部３、ユニバーサルコード５、コネクタ３２内に設けられるとともに吸引管路１０とは別途に設けられた吸引管路１１の先端の開口を構成している。
【００３２】
また、吸引管路１１のコネクタ３２の基端の開口には、図示しない吸引口金が設けられており、該吸引口金には、吸引装置４２から延出された吸引用チューブ４３が接続されている。
【００３３】
吸引管路１１は、操作部３に設けられた吸引釦３ｂが押下操作されると、吸引装置４２の駆動により、図３に示すように体腔Ｂ内に充満する固体粒子成分を含む流体、具体的には、ミスト状の生体組織に由来する成分を含む気体Ｄを、吸引口１１ａを介して連通する吸引用チューブ４３とともに吸引するものである。
また、吸引管路１１は吸引釦３ｂを介さず、直接吸引用チューブ４３および吸引装置４２につながっていてもよい。この場合、吸引口１１ａからは常に体腔Ｂ内の気体Ｄを吸引することができる。さらに、吸引チューブ４３は図示しない他の吸引装置４４に接続されていてもよい。
【００３４】
尚、体腔Ｂ内に充満する生体組織に由来する成分を含む気体Ｄは、例えば上述したＥＳＤ手技の際、図３に示すように、処置具挿通口３ｓ、吸引管路１０、吸引口１０ａを介して体腔Ｂ内に突出された焼灼装置である高周波ナイフ１１３により、体腔Ｂ内の生体組織にエネルギを与えることによって焼灼される生体組織を構成する粘膜や脂肪等の成分を含む気体である。
【００３５】
ここで、以下、図４、図５を用いて、上述したＥＳＤの手技の一例を簡単に説明する。
【００３６】
図４は、体腔内に図１の内視鏡の挿入部を挿入するとともに、内視鏡の他の吸引管路から突出させた切開具、高周波ナイフを用いたＥＳＤ手技における病変粘膜部位の切開動作の一例を概略的に説明する斜視図であり、図４（Ａ）は、病変粘膜部分の周囲の粘膜に切開具を用いて穴を穿ける手技を示す斜視図、図４（Ｂ）は、内視鏡の他の吸引管路を介して体腔内に高周波ナイフを突出させた状態を示す斜視図、図４（Ｃ）は、図４（Ｂ）の高周波ナイフの先端を、切開具に穿けられた穴に差し込んだ状態を示す斜視図、図４（Ｄ）は、高周波ナイフによる病変粘膜部分の切開動作を示す斜視図である。
【００３７】
また、図５は、図１の内視鏡の他の吸引管路から突出させた剥離具を用いたＥＳＤ手技における病変粘膜部位の剥離動作を概略的に説明する斜視図であり、図５（Ａ）は、剥離具の先端を高周波ナイフによる切開の切り口に引っ掛けた状態を示す斜視図、図５（Ｂ）は、図５（Ａ）の剥離具の屈曲部の向き調整動作を示す斜視図である。
【００３８】
先ず、術者は、内視鏡２の挿入部４を、体腔内に導入した後、処置具挿通口３ｓから吸引管路１０を介して吸引口１０ａから体腔内に突出させた図示しない注射針を用いて、図４（Ａ）に示すように、処置対象組織である病変粘膜部分Ｓの粘膜下層に生理食塩水等の薬液を注入して、病変粘膜部分Ｓを隆起させる。
【００３９】
次いで、術者は、図４（Ａ）に示すように、吸引口１０ａから被検体内に突出させた切開具１１２を用いて、病変粘膜部分Ｓの周囲の粘膜の一部に穴Ｈを穿ける。
【００４０】
その後、術者は、吸引管路１０から切開具１１２を抜去し、図４（Ｂ）に示すように、処置具挿通口３ｓから吸引管路１０を介して吸引口１０ａから体腔内に突出させた高周波ナイフ１１３のナイフ先端を、図４（Ｃ）に示すように、穴Ｈに差し込む。
【００４１】
この状態において、ナイフ先端に高周波電流を供給しながら、図４（Ｄ）に示すように、挿入部４の先端側を、湾曲部７の湾曲も用いながら２０ｍｍ〜５０ｍｍ程度前後に移動させることにより、高周波ナイフ１１３の先端側も２０ｍｍ〜５０ｍｍ程度前後に移動させ、病変粘膜部分Ｓの周囲を切開し、切り口Ｐを形成する。
【００４２】
次いで、術者は、病変粘膜部分Ｓを全周に亘って切開した後、吸引管路１０から高周波ナイフ１１３を抜去し、図５（Ａ）に示すように、処置具挿通口３ｓから吸引管路１０を介して吸引口１０ａから体腔内に突出させた剥離具１１４を体腔内に導入し、切り口Ｐにナイフ部１１４ｎを当接させ、屈曲部１１４ｋを引っ掛けて、病変粘膜部分Ｓの下層を切開剥離していく。このとき、屈曲部１１４ｋは、固有筋層と平行または内腔側を向いているのが望ましい。
【００４３】
尚、屈曲部１１４ｋの向きが望ましくない場合は、屈曲部１１４ｋの向きを調整する。具体的には、図５（Ｂ）に示すように、操作部１１４ａの操作用スライダ１１４ｂを後方に少しだけ移動させた状態において、シース１１４ｓを把持して操作部１１４ａを回転させる。続いて屈曲部１１４ｋの向きを変えた後、操作用スライダ１１４ｂを前方に移動させることにより、既知の機構によりナイフ部１１４ｎの回動が規制される。これにより、屈曲部１１４ｋは、粘膜切除、剥離の間、向きを保った状態で固定される。
【００４４】
最後に、術者は、病変粘膜部分Ｓを全て切除、剥離した後、吸引管路１０から剥離具１１４を抜去し、処置具挿通口３ｓから吸引管路１０を介して吸引口１０ａから体腔体内に突出させた図示しない把持鉗子等を用いて、吸引管路１０を介して病変粘膜部分Ｓを取り出す。
【００４５】
このような図４、図５に示したＥＳＤ手技において、図４（Ｄ）に示すように、高周波ナイフ１１３を用いて病変粘膜部分Ｓの周囲を切開していく際、発生する体腔Ｂ内に充満するミスト状の生体組織に由来する成分を含む気体Ｄを、図３に示すように、吸引管路１１は、吸引口１１ａを介して吸引する。
【００４６】
尚、気体Ｄの吸引は、吸引管路１１の他、吸引管路１０も用いられて行われることにより、体腔Ｂ内における対物レンズ２１の観察視野が良好になるよう萬遍なく行われる。即ち、吸引管路１０、１１を用いた気体Ｄの吸引により、対物レンズ２１に気体Ｄ中の生体組織に由来する成分が付着してしまうことを防げるとともに、気体Ｄを体腔Ｂ内から除去できる。
【００４７】
尚、図２に示すように、吸引管路１１の径Ｒ２は、吸引管路１０の径Ｒ１以下の径になるように、例えば１ｍｍ以下に形成されている（Ｒ１≧Ｒ２）。これは、上述したように、吸引管路１１は、気体Ｄを吸引するためだけの管路であることから、挿入部４の小径化を図るため、吸引管路１１を吸引管路１０のように大径に形成する必要がないためである。
【００４８】
ここで、図２、図３に示すように、吸引管路１１の少なくとも一部に、フィルタ５０が設けられている。
【００４９】
フィルタ５０は、気体のみを通過させるとともに、液体及び固定の通過を遮断するものである。具体的には、生体組織に由来する成分を含む気体Ｄの内、気体のみ、即ち空気のみを通過させ、生体組織に由来する成分や、他の体腔Ｂ内の粘液等の液体や残渣等の固体を取り除くものである。
【００５０】
尚、フィルタ５０は、気体及び蒸気を通過させ、固体及び液体を通過させない、例えば１００μｍ程度の隙間を有する既知の多孔性フィルタから構成されている。尚、フィルタ５０は、メンブレンフィルタや、綿栓濾過、濾紙、ファイバ膜等から構成されていても構わない。
【００５１】
よって、気体Ｄを吸引管路１１により吸引する際、フィルタ５０によって気体Ｄ中の生体組織に由来する成分や体腔Ｂ内の液体や固体が除去されることから、吸引管路１１に生体組織に由来する成分や固体、液体が進入してしまうことがない。
【００５２】
尚、フィルタ５０によって気体Ｄ中の空気のみを通過させるのは、吸引管路１１は、気体Ｄを吸引するためだけの管路であるため、上述したように非常に小径かつ挿入部４、操作部３、ユニバーサルコード５、コネクタ３２に亘る長さに形成されている。よって、吸引管路１１に洗浄ブラシ等の洗浄具を挿入し難く、吸引管路１１は洗浄処理がし難いことから、吸引管路１１に気体Ｄ中の生体組織に由来する成分や体腔Ｂ内の固体、液体が進入してしまうことを防ぎたいためである。
【００５３】
よって、このことを考慮すれば、図２、図３に示すように、フィルタ５０は、吸引管路１１の出来るだけ先端側に設けられていることが好ましい。尚、その他の内視鏡２の構成は、一般的な内視鏡の構成と同じである。
【００５４】
このように本実施の形態においては、内視鏡２の少なくとも挿入部４に、被検体内の流体を吸引するとともに処置具挿通用の管路を兼ねた吸引管路１０の他、ミスト状の生体組織に由来する成分を含む気体Ｄを吸引する吸引管路１１が設けられていると示した。また、例えばＥＳＤ手技の際、図３に示すように発生するミスト状の生体組織に由来する成分を含む気体Ｄは、吸引管路１１とともに吸引管路１０を用いて吸引すると示した。
【００５５】
このことによれば、ＥＳＤ手技等により体腔Ｂ内に充満するミスト状の生体組織に由来する成分を含む気体Ｄは、従来であれば、吸引管路１０のみで吸引していたことから、気体Ｄを十分吸引出来ず、良好な観察視野を十分確保することができなかったが、本実施の形態の構成によれば、吸引管路１０とともに吸引管路１１を用いて気体Ｄを吸引する構成を有していることから、体腔Ｂ内に充満する気体Ｄを確実に除去することができるため、良好な観察視野を確保することができる。
【００５６】
また、本実施の形態においては、吸引管路１１に、気体のみを通過させるフィルタ５０が設けられていると示した。
【００５７】
このことによれば、ミスト状の生体組織に由来する成分を含む気体Ｄを、吸引管路１１を用いて吸引する際、生体組織に由来する成分や、体腔Ｂ内の液体や固体は、フィルタ５０により取り除かれるため、吸引管路１１内に生体組織に由来する成分や、体腔Ｂ内の液体や固体が進入してしまうことがない。よって、非常に小径に形成された吸引管路１１に対して洗浄ブラシ等を用いた洗浄処理を行わなくて良いことから、吸引管路１１の洗浄性が向上する。
【００５８】
以上から、被検体内に充満する固体粒子成分を含む流体を円滑に除去でき、固体粒子成分を含む流体を吸引する吸引管路１１の洗浄処理が簡単な内視鏡２を提供することができる。
【００５９】
（第２実施の形態）
図６は、本実施の形態の内視鏡の挿入部の先端面を概略的に示す平面図、図７は、図６中のVII-VII線に沿う挿入部の先端側の部分断面図である。
【００６０】
この第２実施の形態の内視鏡の構成は、図１〜図５に示した第１実施の形態の内視鏡の構成と比して、フィルタが挿入部の先端に取り付けられる先端アタッチメントの吸引管路に設けられている点が異なる。よって、第１実施の形態と同様の構成には同じ符号を付し、その説明は省略する。尚、図６においては、図面を簡略化するため、先端面６ｓにおいて、送気送水ノズル２３、照明窓２５は省略して示している。
【００６１】
図６、図７に示すように、本実施の形態の内視鏡２においては、挿入部４の先端部６の先端側に、一部が吸引管路１１の吸引口１１ａを覆うように先端アタッチメント７０が取り付け自在となっている。
【００６２】
先端アタッチメント７０は、上述した吸引管路１１と同様にミスト状の生体組織に由来する成分を含む気体Ｄを吸引する吸引口７５ａを有する吸引管路７５が、吸引口１１ａを覆う部位に長手方向Ｎに沿って形成されている。
【００６３】
先端アタッチメント７０は、先端部６に取り付けられた際、吸引管路７５が吸引管路１１に連通するよう、既知の位置決め部材によって位置決めされて取り付けられる。よって、図７に示すように、本実施の形態においては、ミスト状の生体組織に由来する成分を含む気体Ｄを吸引する吸引管路８０は、吸引管路１１と吸引管路７５とから構成されている。
【００６４】
また、図７に示すように、本実施の形態においては、吸引管路７５に、上述したフィルタ５０が設けられている。また、上述した第１実施の形態と同様に、吸引管路１１にもフィルタ５０がさらに設けられていても構わない。尚、その他の構成は、上述した第１実施の形態と同じである。
【００６５】
このような構成によれば、フィルタ５０は先端アタッチメント７０に設けられていることから、先端アタッチメント７０をディスポーザブル式として用いると、使用の毎に先端アタッチメント７０は、フィルタ５０とともに破棄、交換されるため、フィルタ５０を洗浄する必要が不要となる。尚、その他の効果は、上述した第１実施の形態と同様である。
【００６６】
（第３実施の形態）
図８は、本実施の形態の内視鏡の挿入部の先端面におけるミスト状の生体組織に由来する成分を含む気体を吸引する吸引管路の吸引口の配置領域を概略的に示す平面図である。
【００６７】
この第３実施の形態の内視鏡の構成は、図１〜図５に示した第１実施の形態の内視鏡の構成と比して、ミスト状の生体組織に由来する成分を含む気体を吸引する吸引管路の吸引口の先端面の位置が規定されている点が異なる。よって、第１実施の形態と同様の構成には同じ符号を付し、その説明は省略する。尚、図８においては、図面を簡略化するため、先端面６ｓにおいて吸引口１０ａ以外は省略して示している。
【００６８】
図８に示すように、先端面６ｓにおいて、吸引口１１ａは、挿入部４の中心４ｃと吸引管路１０の中心１０ｃとを結ぶ直線Ｌに対し、９０°以上２７０°以下の範囲Ｃ１に配置されていることが好ましい。
【００６９】
または、吸引口１１ａは、先端面６ｓにおいて、被写体像取得部２０によって撮像された被写体像の正立方向Ｙと重力方向Ｇとが一致した際、吸引口１０ａよりも正立方向Ｙの上側の領域Ｃ２に配置されていることが好ましい。尚、その他の構成は、上述した第１実施の形態と同じである。
【００７０】
このような構成によれば、上述したように、体腔Ｂ内に充満するミスト状の生体組織に由来する成分を含む気体Ｄは、吸引管路１１とともに吸引管路１０により吸引するが、通常、吸引口１０ａが正立方向Ｙの下側に設けられている場合が多いことから、吸引口１１ａが正立方向Ｙの上側に設けられていれば、即ち正立方向Ｙにおいて吸引口１０ａの反対側に設けられていれば、体腔Ｂ内に充満するミスト状の生体組織に由来する成分を含む気体Ｄを、吸引管路１０、１１を用いてより確実に体腔Ｂ内からまんべんなく吸引することができる。
【００７１】
また、正立方向Ｙの下側に設けられた吸引口１０ａから体腔Ｂ内の液体や固体等を吸引する際、吸引口１１ａが正立方向Ｙの上側に設けられていれば、吸引口１０ａから吸引される液体や固体が吸引口１１ａ付近に設けられたフィルタ５０に接触してしまう可能性が低くなることから、フィルタ５０が不意に濡れたり汚れたりしてしまうことを防ぐことができる。
【００７２】
尚、その他の効果は、上述した第１実施の形態と同様である。また、本実施の形態の構成は、図６、図７に示した第２実施の形態の先端アタッチメント７０における吸引管路７５の吸引口の配置位置においても同様に適用可能である。
【００７３】
（第４実施の形態）
図９は、本実施の形態の内視鏡の挿入部の先端側を概略的に示す図である。  
この第４実施の形態の内視鏡の構成は、図１〜図５に示した第１実施の形態の内視鏡の構成と比して、ミスト状の生体組織に由来する成分を含む気体を吸引する吸引管路の吸引口が、挿入部の外周側面に設けられている点が異なる。よって、第１実施の形態と同様の構成には同じ符号を付し、その説明は省略する。
【００７４】
図９に示すように、本実施の形態においては、吸引口１１ａは、挿入部４の外周側面において、湾曲部７よりも長手方向Ｎの基端側に位置している。具体的には、可撓管部８の外周側面８ｇに開口されている。尚、その他の構成は、上述した第１実施の形態と同じである。
【００７５】
このような構成によれば、先端部６及び湾曲部７内に吸引管路１１を挿通する必要がなくなることから、先端部６及び湾曲部７を小径化することができる。このため、湾曲部７の湾曲半径をより小さくできることから、体腔Ｂ内における挿入部４の先端側の小回り性が向上する。尚、その他の効果は、上述した第１実施の形態と同様である。
【００７６】
尚、以下、別の変形例を示す。上述した第１〜第４実施の形態においては、ＥＳＤ手技の際に、高周波ナイフ１１３を用いて病変粘膜部分Ｓの周囲を切開していく際、発生する体腔Ｂ内に充満するミスト状の生体組織に由来する成分を含む気体Ｄを、図３に示すように、吸引管路１１を用いて吸引する場合を例に挙げて示した。
【００７７】
これに限らず、吸引管路１０を介して体腔Ｂ内に突出された焼灼装置により生体組織にエネルギを与えることによって焼灼処理を行う際、体腔Ｂ内に充満するミスト状の生体組織に由来する成分を含む気体Ｄを、吸引管路１１を用いて吸引する全ての手技に上述した第１〜第４実施の形態の構成が適用可能であることは勿論である。
【００７８】
また、上述した第１〜第４実施の形態においては、吸引管路１１、７５、８０のいずれかに、フィルタ５０を１つだけ設ける場合を例に挙げて示したが、これに限らず、フィルタ５０は複数設けられていても構わない。
【００７９】
例えば、吸引管路１１に大量の気体Ｄが流入した際に、生体組織に由来する成分等により吸引管路１１の吸引口１１ａ近傍に設けられたフィルタ５０が直ぐに詰まってしまうことがないよう、吸引管路１１にフィルタ５０を複数設け、該複数のフィルタ５０の隙間を先端側から順に徐々に小さくしていく構成であっても良い。
【００８０】
また、上述した第１〜第４実施の形態においては、内視鏡は、体腔Ｂ内に挿入される医療用の内視鏡を例に挙げて示したが、これに限らず、工業用の内視鏡にも適用可能であることは勿論である。
【符号の説明】
【００８１】
２…内視鏡
４…挿入部
４ｃ…挿入部の中心
６ｓ…先端面
７…湾曲部
８ｇ…可撓管部の外周側面
１０…他の吸引管路
１０ｃ…他の吸引管路の中心
１１…吸引管路
１１ａ…吸引口
２０…被写体像取得部
１１３…高周波ナイフ（焼灼装置）
５０…フィルタ
７０…先端アタッチメント
Ｂ…体腔
Ｃ１…範囲
Ｄ…生体組織に由来する成分を含む気体（固体粒子成分を含む流体）
Ｇ…重力方向
Ｌ…直線
Ｎ…長手方向
Ｙ…正立方向
【図１】
0006374346.tif 000002
【図２】
0006374346.tif 000003
【図３】
0006374346.tif 000004
【図４】
0006374346.tif 000005
【図５】
0006374346.tif 000006
【図６】
0006374346.tif 000007
【図７】
0006374346.tif 000008
【図８】
0006374346.tif 000009
【図９】
0006374346.tif 000010